(57)【要約】【課題】  従来は、係合孔と係合片で組み立てているため、風が強く吹くなど、力が掛かると、簡単に解放してしまい、小型生物捕獲への能力を完全に発揮できなかった。【解決手段】  ハウス状の小型生物捕獲器において、折り曲げて形成した底板２に、結束紐を挿通する孔１９を穿設し、挿通する孔１９を覆うように孔１９より大きいシート２０を設け、底板２の内面３とシート２０に接着剤を塗布し、接着剤塗布面に複数枚積層した粘着シート５を設け、底板２に連続して設けた両天井板７のどちらか一方に係合片９、他方に係合切れ目８を設けて、係合片９、係合切れ目８で係合させ、ハウス状本体Ａを形成し、両天井板７の一方に係止用の凸形状の切り込み部１７と、他方に前記切り込み部１７と同一、または同等の切り込み部１８を設け、ハウス状本体両端には、開放口１０が設けられ、両天井板７に形成した切り込みを立ち上げて小型生物入口を形成した小型生物捕獲器。【選択図】図２
2018174812.tif 000002
【特許請求の範囲】
【請求項１】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より弱冠大きいシートを設け、前記底板の内面と前記シートに接着剤を塗布し、該接着剤塗布面に複数枚積層した粘着シートを設け、前記底板に連続して設けた両天井板のどちらか一方に係合片、他方に係合切れ目を設けて、係合片、係合切れ目で係合させ、ハウス状本体を形成し、加えて両天井板の一方に係止用の凸形状の切り込み部と、他方に前記係止用の凸形状の切り込み部と同一、または同等の切り込み部を設け、さらに該ハウス状本体の両端には、開放口が設けられ、さらに前記両天井板に形成した切り込みを立ち上げて小型生物入口を形成したことを特徴とする小型生物捕獲器。け
【請求項２】
複数枚積層した粘着シートの中間部に切り離し用切り取りミシン目を設けることを特徴とする請求項１に記載の小型生物捕獲器。
【請求項３】
底板の左右に複数枚積層した粘着シートの自重でずれ動くのを防止する粘着シート端部に係合できる切り欠き爪を設けたことを特徴とする請求項１、または請求項２に記載の小型生物捕獲器。
【発明の詳細な説明】
【技術分野】
【０００１】
本発明は、小型生物、例えば昆虫類、爬虫類の小型生物捕獲器に関するものである。
【背景技術】
【０００２】
従来、昆虫用捕獲器は、平面に設置し、平面状を徘徊する生物を捕獲し、捕獲された小型生物を見ることなく、そのまま捨てることができる使い捨ての捕獲器である。例えば、ゴキブリ捕獲器として、所定形状に打ち抜いた一枚のシートを所定の配置で形成した折り曲げ線や切込線を介して折り曲げることで、粘着剤およびその上に誘引剤を塗布した底板と、底板の両側に設けた両側板およびその先端に連続する天井板と、底板の両端に設けた上方が内側傾斜の踏み板等でゴキブリ入口を有するハウス状本体枠を構成し、底板から所定の間隔浮かして、かつゴキブリ入口から誘引剤の近傍まで延びるゴキブリ誘導板を設けたゴキブリ捕獲器（例えば、特許文献１参照）が存在している。
【特許文献１】特開２００４−１９４５２５公報（特許請求の範囲、発明の詳細な説明の欄の｛発明の実施の形態｝の段落｛００１４｝〜｛００２９｝、及び図１〜図７を参照）
【発明の開示】
【発明が解決しようとする課題】
【０００３】
しかしながら、上記したような従来技術の底板内面全体に粘着剤を塗布し、この粘着剤の上中央部に誘引剤を塗布し、底板から所定の間隔浮かして、かつゴキブリ入口から誘引剤の近傍まで延びるゴキブリ誘導板を設け、誘引剤を配置した底板中央部に導きやすく形成してあるので、誘引剤のごく近くまで来たゴキブリは、該誘引剤に導かれ、最早引き返すことは少なく、ゴキブリの捕獲効率を向上させるゴキブリ捕獲器は、ゴキブリであれば効率良く捕獲でき、しかも平面に設置し、平面状を徘徊するゴキブリを捕獲し、そのまま使い捨てる捕獲器であるが、立体的に行動する小型生物を捕獲することはできないという問題点がある。すなわち、平面がない場所、例えば、樹幹、塀、壁、ケーブル等の垂直面に捕獲器を設置することができないという問題点がある。行動範囲が立体的な小型生物を効率良く捕獲するために、捕獲器を設置し易い構造になっていない。また従来は、捕獲面に捕獲生物が捕まった場合、捕獲器全体を捨てるしかないという問題点、さらに組立てを簡単にするため、係合孔と係合片で組み立てているため、風が強く吹くなど、ちょっと力が掛かると、簡単に解放してしまい、捕獲器内に他の動物や落ち葉等の異物が付着し、目的とする小型生物の捕獲をすることへの能力を完全に発揮できないという問題がある。
【課題を解決するための手段】
【０００４】
上記課題を解決するための本発明の第１発明は、請求項１に記載された通りの小型生物捕獲器であり、次のようなものである。
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より弱冠大きいシートを設け、前記底板の内面と前記シートに接着剤を塗布し、該接着剤塗布面に複数枚積層した粘着シートを設け、前記底板に連続して設けた両天井板のどちらか一方に係合片、他方に係合切れ目を設けて、係合片、係合切れ目で係合させ、ハウス状本体枠を形成し、加えて両天井板の一方に係止用の凸形状の切り込み部と、他方に前記係止用の凸形状の切り込み部と同一、または同等の切り込み部を設け、さらに該ハウス状本体の両端には、開放口が設けられ、さらに前記両天井板に形成した切り込みを立ち上げて小型生物入口を形成する構成である。
【０００５】
上記課題を解決するための本発明の第２発明は、請求項２に記載された通りの小型生物捕獲器であり、次のようなものである。
請求項１に記載の発明に加えて、複数枚積層した粘着シートの中間部に切り離し用切り取りミシン目を設ける構成である。
【０００６】
上記課題を解決するための本発明の第３発明は、請求項３に記載された通りの小型生物捕獲器であり、次のようなものである。
請求項１、または請求項２に記載の発明に加えて、底板の左右に複数枚積層した粘着シートの自重でずれ動くのを防止する粘着シート端部に係合できる切り欠き爪を設ける構成である。
【発明の効果】
【０００７】
本発明に係る小型生物捕獲器は、上記説明のような構成であるので、以下に記載する効果を奏する。
（１）風等の強い力が掛かっても、簡単に天井板の係合が解かれることがなく、しかも、小型生物が捕獲された際、簡単に係止部をワンタッチで解放できるので、取り付け作業者に負担がかからないものである。
（２）本発明の小型生物捕獲器によれば、例えば樹木を昇り降りする小型生物の習性を利用して樹木の幹や枝に本願発明の底板に設けた捕獲器支持用の孔を利用して結束紐のようなバンドを孔に通して水平ではなく、略垂直や斜めに傾斜するように取り付ける。すなわち、本願発明の小型生物捕獲器における前後の入口が上下になるようにすることで、ヤモリや毛虫と同様の足に吸盤がある小型生物はよじ登って、底板内面の複数枚積層された粘着シートの粘着面の所まで移動できる習性を利用して小型生物を捕獲するものである。
なお、混獲を防止するため、小型生物捕獲器の底板内面に、前後に平滑面を形成することで、トカゲや吸盤を有してない小型生物は、爪みたいなものを有しているが、平滑面をよじ登れないので、粘着シートの粘着面まで到達することがない。
（３）粘着シートを各々剥離できるように複数枚重ねて設けてあるので、小型生物が捕獲できた最上面の粘着シートを剥がして処分し、新しい粘着面を露出することで、本体部分は何度も使用することができ、ゴミの排出を減らすことができる。
（４）粘着シートが２分割できるので、２倍に利用できるものである。
（５）接着剤塗布が容易なように、小型生物捕獲器の底板内面に接着剤が塗布されているが、小型生物捕獲器を支持するために設けた孔部の部分は、小型生物捕獲器の底板内面全面に接着剤を塗布しても結束紐の挿通する孔部には接着剤が塗布されないようにシートで覆ってあるので、捕獲器を樹木の幹や枝に取り付ける結束紐等のバンドを通して幹や枝に結束するのに、粘着面があるものに比べて極めて容易に行うことができる。
【図面の簡単な説明】
【０００８】
【図１】本発明の一実施例である小型生物捕獲器を示す展開図である。
【図２】本発明の一実施例である小型生物捕獲器を示す概略斜視図である。
【発明を実施するための形態】
【０００９】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より弱冠大きいシートを設け、前記底板の内面と前記シートに接着剤を塗布し、該接着剤塗布面に複数枚積層した粘着シートを設け、前記底板に連続して設けた両天井板のどちらか一方に係合片、他方に係合切れ目を設けて、係合片、係合切れ目で係合させ、ハウス状本体枠を形成し、加えて両天井板の一方に係止用の凸形状の切り込み部と、他方に前記係止用の凸形状の切り込み部と同一、または同等の切り込み部を設け、さらに該ハウス状本体の両端には、開放口が設けられ、さらに前記両天井板に形成した切り込みを立ち上げて小型生物入口を形成した小型生物捕獲器である。
【実施例】
【００１０】
図１は、本発明の一実施例である小型生物捕獲器を示す展開図、図２は、本発明の組み立て状態の小型生物捕獲器を示す概略斜視図である。
【００１１】
本発明について図１、図２に基づいて具体的に実施例を説明する。
近年、人の生活が豊かになり、また住居の気密化が進み、ペット以外の生き物をまわりから排除する傾向が強くなってきている。その一例として、昔から家を守る生き物として大切にされていたヤモリ等も、気持ちが悪いなどの理由により、駆除の対象になりつつある。ここで、ヤモリの体の構造について説明すると、ヤモリの指先は、指下板と呼ばれる吸盤のような機能を持った構造となっており、垂直面や濡れた面でも滑らずに移動ができる。そのため、従来使用されてきたトラップでは捕獲が困難である。
また、従来から毛虫等の駆除も求められているが、従来の方法は、以前は発生すれば農薬を散布して駆除するのが一般的であった。しかし、化学物質過敏症といった病気の発生や、人々の風潮が化学物質を嫌う傾向に進み、平成１４年の農薬取締法の改正以降、都市部での農薬使用に関して、厳しい目が向けられるようになってきた。また、環境省及び農林水産省は、「住宅地等における農薬使用について」（平成１９年１月３１日付け１８消安第１１６０７号・環境大土発大０７０１３１００１号農林水産省消費・安全局長、環境省水・大気環境局長連名通知）を見直し、新たな通知を都道府県知事等に発出し、その内容にも「定期的に農薬を散布することを止め、早期発見に努め、せん定や捕殺等の物理的防除により対応するよう最大限努めること。」など、物理的な対策を推奨している。
そのため、樹幹を徘徊する毛虫類や前記ヤモリ等の物理的な捕獲をするためには、枝等に簡易に取り付けられるトラップの必要性が発生している。
この問題を解決するために考えられたのが、本願発明の小型生物捕獲器である。
【００１２】
ここで、図１、図２に基づいて小型生物の一種であるヤモリを捕獲したい場合の一実施例の詳細を説明する。
図１の展開図からも理解できるように、例えば一枚の透明、あるいは不透明な合成樹脂製シート１を所定の配置で形成した折り曲げ線１２と切込線１３を形成し、この折り曲げ線１１、切込線１３を利用して折り曲げ、ゴキブリ捕獲器のようにハウス状に組み立ててなる小型生物捕獲器である。
略中央に位置する部位に底板２を設け、この底板２の内面３の前後に少なくとも１ｃｍ以上の長さに相当する平滑面４を形成し、残りの中央部に、中間に捕獲器支持用孔１５を複数個（実施例として示したものは２個のものである）設け、残りの中央部に複数枚積層した粘着シート５を設ける（図１参照）。
該捕獲器支持用孔１５（実施例として示したものは２個設けたものである）の一方の孔１５から結束紐を通し、他方の孔１５から引き出して、ハウス状本体Ａを、樹木の幹や枝に取り付け支持できるものである。
そして、捕獲器支持用孔１５全体を覆うように、覆いシート２０を設け、この覆いシート２０は、捕獲器支持用孔１５と、この捕獲器支持用孔１５の間の部分とを除いて接着剤等を塗布（他の固定手段でも良い）して固定され、複数枚積層した粘着シート５を取り付けるために、底板２の内面３と、前記覆いシート２０に接着剤を塗布する。この際、接着剤が塗布されていても結束紐が捕獲器支持用孔１５に挿入できるようにしたものである。
なお、加工上困難が生じるが、平滑面４は形成しないものでも良いことはいうまでもない。
また、前記底板２に連続して両天井板７を形成するか、または前記底板２に連続して両側板６を折り曲げることができるように形成し、その先に連続して両天井板７を形成して折り曲げて突き合わせて係合できるように、天井板７の一方には係合切れ目８を、他方には係合片９を設けてある。
なお、前記両側板６は、結果的に両天井板７で兼用するように、特に側板６を形成しないようにしたものである。
さらに、一方の天井板７に形成した係合切れ目８の先方部に係止用の凸形状の切り込み部１７を設け、さらにその先に両天井板７を組み合わせた際に、他方の天井板７に設けた小型生物の入口と略重なる位置に同一の大きさの大きい孔１９を設けてある。
この両天井板７を係合させることにより、ハウス状（略カマボコ状）本体Ａを形成する。尚、底板２から天井板７までの高さは、ヤモリが自由に移動できる程度の高さとする。この構成により、ハウス状本体Ａの両端に開放口１０が形成され、また両側板６を介してその先に連続した天井板７に切り込みを用いて立ち上げて形成したヤモリ（小型生物）入口１１を形成する。
両天井板７を係合するための係合切れ目８に係合片９を係合することで天井を形成しているが、係合が簡単にできるようにしてあるため、実際樹木に取り付けた際、強風が発生すると、簡単に係合が解除してしまい、用をなさなくなる。これを解決するために、再に、ワンタッチで係止できたり、ワンタッチで解放できる両天井板７の一方に係止用の凸形状の切り込み部１７と、他方の天井板７に、前記係止用の凸形状の切り込み部１７と同一、または同等の挿入できるような形状の切り込み部１８を一ヶ所以上設けたものである。
その具体例は、両天井板７を略カマボコ状になるように折り曲げた際、天井板７の一方の係合切れ目８と他方の係止片９をお互いに一部重なり合うようにして天井を形成する。この時、両天井板７の一方の天井板７に設けた係止用の凸形状の切り込み部１７と、他方の天井板７に設けた同一、または同等の切り込み部１８とが重なり合う位置になるように形成してある。
この状態になっているので、両天井板７を組み合わせて天井形成がなされている時、一方の係止用の凸形状の切り込み部１７と他方の凸形状の切り込み部１８が重なっているので、この係止用の凸形状の切り込み部１７を押し下げることで、他方の凸形状の切り込み部１８の部分を押し下げ、凸形状の切り込み部１７が他方の天井板７の内側へ入り込み、ストッパーの機能を奏するようになっている。
また、解放するには、前記小型生物入口１１から、前記大きな孔１９を通して指を押し込み、係止用の凸形状の切り込み部１７と、凸形状の切り込み部１８を外側に切り起こすようにして、係止を解除するものである。
このような組み合わせによって、係止用の凸形状の切り込み部１７のちょっとの押し下げ力をかけることで凸形状の切り込み部１８を通過できるものである。
なお、混獲しないようにヤモリ・毛虫のような垂直面を登る生物のみを捕獲し、それ以外の滑る面を登れないトカゲやカブトムシなどは捕獲しないようにしたい場合は、平滑面４を捕獲除外生物の大きさに合わせ、幅を変えることにより他生物の混獲を防ぐことができる。また、その小型生物捕獲器の設置場所の状態に合わせて選択することができる。
なお、粘着面には材料としては、ＰＥＴ（ポリエチレンテレフタレート）等の剥離機能を持ったシートが設けられていることはいうまでもない。
粘着シートを複数枚重ねて設けてあるので、最上部の粘着シートを剥がすことで、何度もヤモリを捕獲することができる。
また、底板内面３に設けた複数枚積層した粘着シート５は、樹木の幹や枝に略垂直、あるいは斜めに傾斜させて取り付け支持するので、その粘着シート５の自重で、徐々にずれ動いて、平滑面４を遮いでしまうのを防止するために、粘着シート５端部に係合して、ずれ動かないように切り欠き爪１４を形成して折り曲げ立ち上げて粘着シートを保持できるようにする。
【００１３】
また、底板２の内面３には、前後に平滑面４を形成することで、ヤモリは足に吸盤のような機能を持っているので、この平滑面４も平気で昇り降りができるが、足に吸盤のような機能を有していないトカゲや昆虫類等の小型生物は平滑面が存在していることで、この部分を昇り降りできないので、その先にある粘着面に到達することはなく捕獲もされない。
以上、図１、図２では、ヤモリ入口を４ヶ所設けた実施例を説明したが、２ヶ所等、小型生物が入れる大きさの入口であれば、何ヶ所でも良いことは言うまでもない。
【産業上の利用可能性】
【００１４】
前記実施例で示したヤモリだけでなく、ヤモリの習性と似た習性を持った害虫等の小型生物捕獲には同様に利用できる。
【符号の説明】
【００１５】
１・・・・シート
２・・・・底板
３・・・・内面      
４・・・・平滑面
５・・・・粘着シート  
６・・・・両側板
７・・・・天井板      
８・・・・係合切れ目
９・・・・係合片  
１０・・・・開放口
１１・・・・ヤモリ（小型生物）入口
１２・・・・折り曲げ線
１３・・・・切り込み線
１４・・・・切り欠き爪
１５・・・・捕獲器支持用孔
１６・・・・離型紙
１７・・・・係止用の凸形状の切り込み部
１８・・・・凸形状の切り込み部
１９・・・・大きい孔
２０・・・・覆いシート
Ａ・・・・ハウス状本体
【図１】
2018174812.tif 000003
【図２】
2018174812.tif 000004
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方に組み立て用係合片、他方に組み立て用係合切れ目を設けて、係合片と、係合切れ目で係合させ、ハウス状本体を形成し、加えて両天井板の一方に係止用の凸形状の切り込み部と、他方に前記係止用の凸形状の切り込み部と同一、または同等の切り込み部を設け、両切り込み部で係止し、さらに該ハウス状本体の両端には、開放口が設けられ、さらに前記両天井板に形成した切り込みを立ち上げて小型生物入口を形成したことを特徴とする小型生物捕獲器。
【請求項２】
複数枚積層した粘着シートの中間部に切り離し用切り取りミシン目を設けることを特徴とする請求項１に記載の小型生物捕獲器。
【請求項３】
底板の左右に複数枚積層した粘着シートの自重でずれ動くのを防止する粘着シート端部に係合できる切り欠き爪を設けたことを特徴とする請求項１、または請求項２に記載の小型生物捕獲器。
【手続補正２】
【補正対象書類名】明細書
【補正対象項目名】全文
【補正方法】変更
【補正の内容】
【発明の詳細な説明】
【技術分野】
【０００１】
本発明は、小型生物、例えば昆虫類、爬虫類の小型生物捕獲器に関するものである。
【背景技術】
【０００２】
従来、昆虫用捕獲器は、平面に設置し、平面状を徘徊する生物を捕獲し、捕獲された小型生物を見ることなく、そのまま捨てることができる使い捨ての捕獲器である。例えば、ゴキブリ捕獲器として、所定形状に打ち抜いた一枚のシートを所定の配置で形成した折り曲げ線や切込線を介して折り曲げることで、粘着剤およびその上に誘引剤を塗布した底板と、底板の両側に設けた両側板およびその先端に連続する天井板と、底板の両端に設けた上方が内側傾斜の踏み板等でゴキブリ入口を有するハウス状本体枠を構成し、底板から所定の間隔浮かして、かつゴキブリ入口から誘引剤の近傍まで延びるゴキブリ誘導板を設けたゴキブリ捕獲器（例えば、特許文献１参照）が存在している。
【特許文献１】特開２００４−１９４５２５公報（特許請求の範囲、発明の詳細な説明の欄の｛発明の実施の形態｝の段落｛００１４｝〜｛００２９｝、及び図１〜図７を参照）
【発明の開示】
【発明が解決しようとする課題】
【０００３】
しかしながら、上記したような従来技術の底板内面全体に粘着剤を塗布し、この粘着剤の上中央部に誘引剤を塗布し、底板から所定の間隔浮かして、かつゴキブリ入口から誘引剤の近傍まで延びるゴキブリ誘導板を設け、誘引剤を配置した底板中央部に導きやすく形成してあるので、誘引剤のごく近くまで来たゴキブリは、該誘引剤に導かれ、最早引き返すことは少なく、ゴキブリの捕獲効率を向上させるゴキブリ捕獲器は、ゴキブリであれば効率良く捕獲でき、しかも平面に設置し、平面状を徘徊するゴキブリを捕獲し、そのまま使い捨てる捕獲器であるが、立体的に行動する小型生物を捕獲することはできないという問題点がある。すなわち、平面がない場所、例えば、樹幹、塀、壁、ケーブル等の垂直面に捕獲器を設置することができないという問題点がある。行動範囲が立体的な小型生物を効率良く捕獲するために、捕獲器を設置し易い構造になっていない。また従来は、捕獲面に捕獲生物が捕まった場合、捕獲器全体を捨てるしかないという問題点、さらに組立てを簡単にするため、係合孔と係合片で組み立てているため、風が強く吹くなど、ちょっと力が掛かると、簡単に解放してしまい、捕獲器内に他の動物や落ち葉等の異物が付着し、目的とする小型生物の捕獲をすることへの能力を完全に発揮できないという問題がある。
【課題を解決するための手段】
【０００４】
上記課題を解決するための本発明の第１発明は、請求項１に記載された通りの小型生物捕獲器であり、次のようなものである。
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方に組み立て用係合片、他方に組み立て用係合切れ目を設けて、係合片と、係合切れ目で係合させ、ハウス状本体を形成し、加えて両天井板の一方に係止用の凸形状の切り込み部と、他方に前記係止用の凸形状の切り込み部と同一、または同等の切り込み部を設け、両切り込み部で係止し、さらに該ハウス状本体の両端には、開放口が設けられ、さらに前記両天井板に形成した切り込みを立ち上げて小型生物入口を形成する構成である。
【０００５】
上記課題を解決するための本発明の第２発明は、請求項２に記載された通りの小型生物捕獲器であり、次のようなものである。
請求項１に記載の発明に加えて、複数枚積層した粘着シートの中間部に切り離し用切り取りミシン目を設ける構成である。
【０００６】
上記課題を解決するための本発明の第３発明は、請求項３に記載された通りの小型生物捕獲器であり、次のようなものである。
請求項１、または請求項２に記載の発明に加えて、底板の左右に複数枚積層した粘着シートの自重でずれ動くのを防止する粘着シート端部に係合できる切り欠き爪を設ける構成である。
【発明の効果】
【０００７】
本発明に係る小型生物捕獲器は、上記説明のような構成であるので、以下に記載する効果を奏する。
（１）風等の強い力が掛かっても、簡単に天井板の係合が解かれることがなく、しかも、小型生物が捕獲された際、簡単に係止部をワンタッチで解放できるので、取り付け作業者に負担がかからないものである。
（２）本発明の小型生物捕獲器によれば、例えば樹木を昇り降りする小型生物の習性を利用して樹木の幹や枝に本願発明の底板に設けた捕獲器支持用の孔を利用して結束紐のようなバンドを孔に通して水平ではなく、略垂直や斜めに傾斜するように取り付ける。すなわち、本願発明の小型生物捕獲器における前後の入口が上下になるようにすることで、ヤモリや毛虫と同様の足に吸盤がある小型生物はよじ登って、底板内面の複数枚積層された粘着シートの粘着面の所まで移動できる習性を利用して小型生物を捕獲するものである。
なお、混獲を防止するため、小型生物捕獲器の底板内面に、前後に平滑面を形成することで、トカゲや吸盤を有してない小型生物は、爪みたいなものを有しているが、平滑面をよじ登れないので、粘着シートの粘着面まで到達することがない。
（３）粘着シートを各々剥離できるように複数枚重ねて設けてあるので、小型生物が捕獲できた最上面の粘着シートを剥がして処分し、新しい粘着面を露出することで、本体部分は何度も使用することができ、ゴミの排出を減らすことができる。
（４）粘着シートが２分割できるので、２倍に利用できるものである。
（５）接着剤塗布が容易なように、小型生物捕獲器の底板内面に接着剤が塗布されているが、小型生物捕獲器を支持するために設けた孔部の部分は、小型生物捕獲器の底板内面全面に接着剤を塗布しても結束紐の挿通する孔部には接着剤が塗布されないようにシートで覆ってあるので、捕獲器を樹木の幹や枝に取り付ける結束紐等のバンドを通して幹や枝に結束するのに、粘着面があるものに比べて極めて容易に行うことができる。
【図面の簡単な説明】
【０００８】
【図１】本発明の一実施例である小型生物捕獲器を示す展開図である。
【図２】本発明の一実施例である小型生物捕獲器を示す概略斜視図である。
【発明を実施するための形態】
【０００９】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方に組み立て用係合片、他方に組み立て用係合切れ目を設けて、係合片と、係合切れ目で係合させ、ハウス状本体を形成し、加えて両天井板の一方に係止用の凸形状の切り込み部と、他方に前記係止用の凸形状の切り込み部と同一、または同等の切り込み部を設け、両切り込み部で係止し、さらに該ハウス状本体の両端には、開放口が設けられ、さらに前記両天井板に形成した切り込みを立ち上げて小型生物入口を形成した小型生物捕獲器である。
【実施例】
【００１０】
図１は、本発明の一実施例である小型生物捕獲器を示す展開図、図２は、本発明の組み立て状態の小型生物捕獲器を示す概略斜視図である。
【００１１】
本発明について図１、図２に基づいて具体的に実施例を説明する。
近年、人の生活が豊かになり、また住居の気密化が進み、ペット以外の生き物をまわりから排除する傾向が強くなってきている。その一例として、昔から家を守る生き物として大切にされていたヤモリ等も、気持ちが悪いなどの理由により、駆除の対象になりつつある。ここで、ヤモリの体の構造について説明すると、ヤモリの指先は、指下板と呼ばれる吸盤のような機能を持った構造となっており、垂直面や濡れた面でも滑らずに移動ができる。そのため、従来使用されてきたトラップでは捕獲が困難である。
また、従来から毛虫等の駆除も求められているが、従来の方法は、以前は発生すれば農薬を散布して駆除するのが一般的であった。しかし、化学物質過敏症といった病気の発生や、人々の風潮が化学物質を嫌う傾向に進み、平成１４年の農薬取締法の改正以降、都市部での農薬使用に関して、厳しい目が向けられるようになってきた。また、環境省及び農林水産省は、「住宅地等における農薬使用について」（平成１９年１月３１日付け１８消安第１１６０７号・環境大土発大０７０１３１００１号農林水産省消費・安全局長、環境省水・大気環境局長連名通知）を見直し、新たな通知を都道府県知事等に発出し、その内容にも「定期的に農薬を散布することを止め、早期発見に努め、せん定や捕殺等の物理的防除により対応するよう最大限努めること。」など、物理的な対策を推奨している。
そのため、樹幹を徘徊する毛虫類や前記ヤモリ等の物理的な捕獲をするためには、枝等に簡易に取り付けられるトラップの必要性が発生している。
この問題を解決するために考えられたのが、本願発明の小型生物捕獲器である。
【００１２】
ここで、図１、図２に基づいて小型生物の一種であるヤモリを捕獲したい場合の一実施例の詳細を説明する。
図１の展開図からも理解できるように、例えば一枚の透明、あるいは不透明な合成樹脂製シート１を所定の配置で形成した折り曲げ線１２と切込線１３を形成し、この折り曲げ線１１、切込線１３を利用して折り曲げ、ゴキブリ捕獲器のようにハウス状に組み立ててなる小型生物捕獲器である。
略中央に位置する部位に底板２を設け、この底板２の内面３の前後に少なくとも１ｃｍ以上の長さに相当する平滑面４を形成し、残りの中央部に、中間に捕獲器支持用孔１５を複数個（実施例として示したものは２個のものである）設け、残りの中央部に複数枚積層した粘着シート５を設ける（図１参照）。
該捕獲器支持用孔１５（実施例として示したものは２個設けたものである）の一方の孔１５から結束紐を通し、他方の孔１５から引き出して、ハウス状本体Ａを、樹木の幹や枝に取り付け支持できるものである。
そして、捕獲器支持用孔１５全体を覆うように、覆いシート２０を設け、この覆いシート２０は、捕獲器支持用孔１５と、この捕獲器支持用孔１５の間の部分とを除いて接着剤等を塗布（他の固定手段でも良い）して固定され、複数枚積層した粘着シート５を取り付けるために、底板２の内面３と、前記覆いシート２０に接着剤を塗布する。この際、接着剤が塗布されていても結束紐が捕獲器支持用孔１５に挿入できるようにしたものである。
なお、加工上困難が生じるが、平滑面４は形成しないものでも良いことはいうまでもない。
また、前記底板２に連続して両天井板７を形成するか、または前記底板２に連続して両側板６を折り曲げることができるように形成し、その先に連続して両天井板７を形成して折り曲げて突き合わせて係合できるように、天井板７の一方には係合切れ目８を、他方には係合片９を設けてある。
なお、前記両側板６は、結果的に両天井板７で兼用するように、特に側板６を形成しないようにしたものである。
さらに、一方の天井板７に形成した係合切れ目８の先方部に係止用の凸形状の切り込み部１７を設け、さらにその先に両天井板７を組み合わせた際に、他方の天井板７に設けた小型生物の入口と略重なる位置に同一の大きさの大きい孔１９を設けてある。
この両天井板７を係合させることにより、ハウス状（略カマボコ状）本体Ａを形成する。尚、底板２から天井板７までの高さは、ヤモリが自由に移動できる程度の高さとする。この構成により、ハウス状本体Ａの両端に開放口１０が形成され、また両側板６を介してその先に連続した天井板７に切り込みを用いて立ち上げて形成したヤモリ（小型生物）入口１１を形成する。
両天井板７を係合するための係合切れ目８に係合片９を係合することで天井を形成しているが、係合が簡単にできるようにしてあるため、実際樹木に取り付けた際、強風が発生すると、簡単に係合が解除してしまい、用をなさなくなる。これを解決するために、再に、ワンタッチで係止できたり、ワンタッチで解放できる両天井板７の一方に係止用の凸形状の切り込み部１７と、他方の天井板７に、前記係止用の凸形状の切り込み部１７と同一、または同等の挿入できるような形状の切り込み部１８を一ヶ所以上設けたものである。
その具体例は、両天井板７を略カマボコ状になるように折り曲げた際、天井板７の一方の係合切れ目８と他方の係止片９をお互いに一部重なり合うようにして天井を形成する。この時、両天井板７の一方の天井板７に設けた係止用の凸形状の切り込み部１７と、他方の天井板７に設けた同一、または同等の切り込み部１８とが重なり合う位置になるように形成してある。
この状態になっているので、両天井板７を組み合わせて天井形成がなされている時、一方の係止用の凸形状の切り込み部１７と他方の凸形状の切り込み部１８が重なっているので、この係止用の凸形状の切り込み部１７を押し下げることで、他方の凸形状の切り込み部１８の部分を押し下げ、凸形状の切り込み部１７が他方の天井板７の内側へ入り込み、ストッパーの機能を奏するようになっている。
また、解放するには、前記小型生物入口１１から、前記大きな孔１９を通して指を押し込み、係止用の凸形状の切り込み部１７と、凸形状の切り込み部１８を外側に切り起こすようにして、係止を解除するものである。
このような組み合わせによって、係止用の凸形状の切り込み部１７のちょっとの押し下げ力をかけることで凸形状の切り込み部１８を通過できるものである。
なお、混獲しないようにヤモリ・毛虫のような垂直面を登る生物のみを捕獲し、それ以外の滑る面を登れないトカゲやカブトムシなどは捕獲しないようにしたい場合は、平滑面４を捕獲除外生物の大きさに合わせ、幅を変えることにより他生物の混獲を防ぐことができる。また、その小型生物捕獲器の設置場所の状態に合わせて選択することができる。
なお、粘着面には材料としては、ＰＥＴ（ポリエチレンテレフタレート）等の剥離機能を持ったシートが設けられていることはいうまでもない。
粘着シートを複数枚重ねて設けてあるので、最上部の粘着シートを剥がすことで、何度もヤモリを捕獲することができる。
また、底板内面３に設けた複数枚積層した粘着シート５は、樹木の幹や枝に略垂直、あるいは斜めに傾斜させて取り付け支持するので、その粘着シート５の自重で、徐々にずれ動いて、平滑面４を遮いでしまうのを防止するために、粘着シート５端部に係合して、ずれ動かないように切り欠き爪１４を形成して折り曲げ立ち上げて粘着シートを保持できるようにする。
【００１３】
また、底板２の内面３には、前後に平滑面４を形成することで、ヤモリは足に吸盤のような機能を持っているので、この平滑面４も平気で昇り降りができるが、足に吸盤のような機能を有していないトカゲや昆虫類等の小型生物は平滑面が存在していることで、この部分を昇り降りできないので、その先にある粘着面に到達することはなく捕獲もされない。
以上、図１、図２では、ヤモリ入口を４ヶ所設けた実施例を説明したが、２ヶ所等、小型生物が入れる大きさの入口であれば、何ヶ所でも良いことは言うまでもない。
【産業上の利用可能性】
【００１４】
前記実施例で示したヤモリだけでなく、ヤモリの習性と似た習性を持った害虫等の小型生物捕獲には同様に利用できる。
【符号の説明】
【００１５】
１・・・・シート
２・・・・底板
３・・・・内面      
４・・・・平滑面
５・・・・粘着シート  
６・・・・両側板
７・・・・天井板      
８・・・・係合切れ目
９・・・・係合片  
１０・・・・開放口
１１・・・・ヤモリ（小型生物）入口
１２・・・・折り曲げ線
１３・・・・切り込み線
１４・・・・切り欠き爪
１５・・・・捕獲器支持用孔
１６・・・・離型紙
１７・・・・係止用の凸形状の切り込み部
１８・・・・凸形状の切り込み部
１９・・・・大きい孔
２０・・・・覆いシート
Ａ・・・・ハウス状本体
【手続補正書】
【提出日】平成30年1月8日(2018.1.8)
【手続補正１】
【補正対象書類名】特許請求の範囲
【補正対象項目名】全文
【補正方法】変更
【補正の内容】
【特許請求の範囲】
【請求項１】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方の先端に組み立て用係合片、他方の天井板の中央に組み立て用係合片を係合する組み立て用係合切れ目を設けて、係合片と、係合切れ目で係合させ、ハウス状本体を形成し、加えて両天井板の一方の先端に設けた組み立て用係合片より内側に別の係止用の凸形状の切り込み部を設け、他方に前記係止用の凸形状の切り込み部と同一、または同等の切り込み部を組み立てた際に重なる部位に設け、両切り込み部を重ねて押し込むことにより係止できるようにし、さらに該ハウス状本体の両端には、開放口が設けられ、さらに前記両天井板に形成した切り込みを立ち上げて小型生物入口を形成したことを特徴とする小型生物捕獲器。
【請求項２】
複数枚積層した粘着シートの中間部に切り離し用切り取りミシン目を設けることを特徴とする請求項１に記載の小型生物捕獲器。
【請求項３】
底板の左右に複数枚積層した粘着シートの自重でずれ動くのを防止する粘着シート端部に係合できる切り欠き爪を設けたことを特徴とする請求項１、または請求項２に記載の小型生物捕獲器。
【手続補正２】
【補正対象書類名】明細書
【補正対象項目名】全文
【補正方法】変更
【補正の内容】
【発明の詳細な説明】
【技術分野】
【０００１】
本発明は、小型生物、例えば昆虫類、爬虫類の小型生物捕獲器に関するものである。
【背景技術】
【０００２】
従来、昆虫用捕獲器は、平面に設置し、平面状を徘徊する生物を捕獲し、捕獲された小型生物を見ることなく、そのまま捨てることができる使い捨ての捕獲器である。例えば、ゴキブリ捕獲器として、所定形状に打ち抜いた一枚のシートを所定の配置で形成した折り曲げ線や切込線を介して折り曲げることで、粘着剤およびその上に誘引剤を塗布した底板と、底板の両側に設けた両側板およびその先端に連続する天井板と、底板の両端に設けた上方が内側傾斜の踏み板等でゴキブリ入口を有するハウス状本体枠を構成し、底板から所定の間隔浮かして、かつゴキブリ入口から誘引剤の近傍まで延びるゴキブリ誘導板を設けたゴキブリ捕獲器（例えば、特許文献１参照）が存在している。
【特許文献１】特開２００４−１９４５２５公報（特許請求の範囲、発明の詳細な説明の欄の｛発明の実施の形態｝の段落｛００１４｝〜｛００２９｝、及び図１〜図７を参照）
【発明の開示】
【発明が解決しようとする課題】
【０００３】
しかしながら、上記したような従来技術の底板内面全体に粘着剤を塗布し、この粘着剤の上中央部に誘引剤を塗布し、底板から所定の間隔浮かして、かつゴキブリ入口から誘引剤の近傍まで延びるゴキブリ誘導板を設け、誘引剤を配置した底板中央部に導きやすく形成してあるので、誘引剤のごく近くまで来たゴキブリは、該誘引剤に導かれ、最早引き返すことは少なく、ゴキブリの捕獲効率を向上させるゴキブリ捕獲器は、ゴキブリであれば効率良く捕獲でき、しかも平面に設置し、平面状を徘徊するゴキブリを捕獲し、そのまま使い捨てる捕獲器であるが、立体的に行動する小型生物を捕獲することはできないという問題点がある。すなわち、平面がない場所、例えば、樹幹、塀、壁、ケーブル等の垂直面に捕獲器を設置することができないという問題点がある。行動範囲が立体的な小型生物を効率良く捕獲するために、捕獲器を設置し易い構造になっていない。また従来は、捕獲面に捕獲生物が捕まった場合、捕獲器全体を捨てるしかないという問題点、さらに組立てを簡単にするため、係合孔と係合片で組み立てているため、風が強く吹くなど、ちょっと力が掛かると、簡単に解放してしまい、捕獲器内に他の動物や落ち葉等の異物が付着し、目的とする小型生物の捕獲をすることへの能力を完全に発揮できないという問題がある。
【課題を解決するための手段】
【０００４】
上記課題を解決するための本発明の第１発明は、請求項１に記載された通りの小型生物捕獲器であり、次のようなものである。
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方の先端に組み立て用係合片、他方の天井板の中央に組み立て用係合片を係合する組み立て用係合切れ目を設けて、係合片と、係合切れ目で係合させ、ハウス状本体を形成し、加えて両天井板の一方の先端に設けた組み立て用係合片より内側に別の係止用の凸形状の切り込み部を設け、他方に前記係止用の凸形状の切り込み部と同一、または同等の切り込み部を組み立てた際に重なる部位に設け、両切り込み部を重ねて押し込むことにより係止できるようにし、さらに該ハウス状本体の両端には、開放口が設けられ、さらに前記両天井板に形成した切り込みを立ち上げて小型生物入口を形成する構成である。
【０００５】
上記課題を解決するための本発明の第２発明は、請求項２に記載された通りの小型生物捕獲器であり、次のようなものである。
請求項１に記載の発明に加えて、複数枚積層した粘着シートの中間部に切り離し用切り取りミシン目を設ける構成である。
【０００６】
上記課題を解決するための本発明の第３発明は、請求項３に記載された通りの小型生物捕獲器であり、次のようなものである。
請求項１、または請求項２に記載の発明に加えて、底板の左右に複数枚積層した粘着シートの自重でずれ動くのを防止する粘着シート端部に係合できる切り欠き爪を設ける構成である。
【発明の効果】
【０００７】
本発明に係る小型生物捕獲器は、上記説明のような構成であるので、以下に記載する効果を奏する。
（１）風等の強い力が掛かっても、簡単に天井板の係止が解かれることがなく、しかも、小型生物が捕獲された際、簡単に係止部をワンタッチで解放できるので、取り付け作業者に負担がかからないものである。
（２）本発明の小型生物捕獲器によれば、例えば樹木を昇り降りする小型生物の習性を利用して樹木の幹や枝に本願発明の底板に設けた捕獲器支持用の孔を利用して結束紐のようなバンドを孔に通して水平ではなく、略垂直や斜めに傾斜するように取り付ける。すなわち、本願発明の小型生物捕獲器における前後の入口が上下になるようにすることで、ヤモリや毛虫と同様の足に吸盤がある小型生物はよじ登って、底板内面の複数枚積層された粘着シートの粘着面の所まで移動できる習性を利用して小型生物を捕獲するものである。
なお、混獲を防止するため、小型生物捕獲器の底板内面に、前後に平滑面を形成することで、トカゲや吸盤を有してない小型生物は、爪みたいなものを有しているが、平滑面をよじ登れないので、粘着シートの粘着面まで到達することがない。
（３）粘着シートを各々剥離できるように複数枚重ねて設けてあるので、小型生物が捕獲できた最上面の粘着シートを剥がして処分し、新しい粘着面を露出することで、本体部分は何度も使用することができ、ゴミの排出を減らすことができる。
（４）粘着シートが２分割できるので、２倍に利用できるものである。
（５）接着剤塗布が容易なように、小型生物捕獲器の底板内面に接着剤が塗布されているが、小型生物捕獲器を支持するために設けた孔部の部分は、小型生物捕獲器の底板内面全面に接着剤を塗布しても結束紐の挿通する孔部には接着剤が塗布されないようにシートで覆ってあるので、捕獲器を樹木の幹や枝に取り付ける結束紐等のバンドを通して幹や枝に結束するのに、粘着面があるものに比べて極めて容易に行うことができる。
【図面の簡単な説明】
【０００８】
【図１】本発明の一実施例である小型生物捕獲器を示す展開図である。
【図２】本発明の一実施例である小型生物捕獲器を示す概略斜視図である。
【発明を実施するための形態】
【０００９】
一枚の透明、あるいは不透明なシートを所定の配置で形成した折り曲げ線と切込線を形成し、この折り曲げ線、切込線を介して折り曲げて底板と両天井板で形成したハウス状に組み立ててなる小型生物捕獲器において、折り曲げて形成した底板に、結束紐を挿通する孔を穿設し、この挿通する孔全体を覆うように孔より若干大きい覆いシートを設け、前記底板の内面と前記覆いシートに接着剤を塗布し、該接着剤塗布面に複数枚積層した粘着シートを設け、前記底板に連続して設けた両天井板のどちらか一方の先端に組み立て用係合片、他方の天井板の中央に組み立て用係合片を係合する組み立て用係合切れ目を設けて、係合片と、係合切れ目で係合させ、ハウス状本体を形成し、加えて両天井板の一方の先端に設けた組み立て用係合片より内側に係止用の凸形状の切り込み部と、他方に前記係止用の凸形状の切り込み部と同一、または同等の切り込み部を組み立てた際に重なる部位に設け、両切り込み部を重ねて押し込むことにより係止し、さらに該ハウス状本体の両端には、開放口が設けられ、さらに前記両天井板に形成した切り込みを立ち上げて小型生物入口を形成した小型生物捕獲器である。
【実施例】
【００１０】
図１は、本発明の一実施例である小型生物捕獲器を示す展開図、図２は、本発明の組み立て状態の小型生物捕獲器を示す概略斜視図である。
【００１１】
本発明について図１、図２に基づいて具体的に実施例を説明する。
近年、人の生活が豊かになり、また住居の気密化が進み、ペット以外の生き物をまわりから排除する傾向が強くなってきている。その一例として、昔から家を守る生き物として大切にされていたヤモリ等も、気持ちが悪いなどの理由により、駆除の対象になりつつある。ここで、ヤモリの体の構造について説明すると、ヤモリの指先は、指下板と呼ばれる吸盤のような機能を持った構造となっており、垂直面や濡れた面でも滑らずに移動ができる。そのため、従来使用されてきたトラップでは捕獲が困難である。
また、従来から毛虫等の駆除も求められているが、従来の方法は、以前は発生すれば農薬を散布して駆除するのが一般的であった。しかし、化学物質過敏症といった病気の発生や、人々の風潮が化学物質を嫌う傾向に進み、平成１４年の農薬取締法の改正以降、都市部での農薬使用に関して、厳しい目が向けられるようになってきた。また、環境省及び農林水産省は、「住宅地等における農薬使用について」（平成１９年１月３１日付け１８消安第１１６０７号・環境大土発大０７０１３１００１号農林水産省消費・安全局長、環境省水・大気環境局長連名通知）を見直し、新たな通知を都道府県知事等に発出し、その内容にも「定期的に農薬を散布することを止め、早期発見に努め、せん定や捕殺等の物理的防除により対応するよう最大限努めること。」など、物理的な対策を推奨している。
そのため、樹幹を徘徊する毛虫類や前記ヤモリ等の物理的な捕獲をするためには、枝等に簡易に取り付けられるトラップの必要性が発生している。
この問題を解決するために考えられたのが、本願発明の小型生物捕獲器である。
【００１２】
ここで、図１、図２に基づいて小型生物の一種であるヤモリを捕獲したい場合の一実施例の詳細を説明する。
図１の展開図からも理解できるように、例えば一枚の透明、あるいは不透明な合成樹脂製シート１を所定の配置で形成した折り曲げ線１２と切込線１３を形成し、この折り曲げ線１１、切込線１３を利用して折り曲げ、ゴキブリ捕獲器のようにハウス状に組み立ててなる小型生物捕獲器である。
略中央に位置する部位に底板２を設け、この底板２の内面３の前後に少なくとも１ｃｍ以上の長さに相当する平滑面４を形成し、残りの中央部に、中間に捕獲器支持用孔１５を複数個（実施例として示したものは２個のものである）設け、残りの中央部に複数枚積層した粘着シート５を設ける（図１参照）。
該捕獲器支持用孔１５（実施例として示したものは２個設けたものである）の一方の孔１５から結束紐を通し、他方の孔１５から引き出して、ハウス状本体Ａを、樹木の幹や枝に取り付け支持できるものである。
そして、捕獲器支持用孔１５全体を覆うように、覆いシート２０を設け、この覆いシート２０は、捕獲器支持用孔１５と、この捕獲器支持用孔１５の間の部分とを除いて接着剤等を塗布（他の固定手段でも良い）して固定され、複数枚積層した粘着シート５を取り付けるために、底板２の内面３と、前記覆いシート２０に接着剤を塗布する。この際、接着剤が塗布されていても結束紐が捕獲器支持用孔１５に挿入できるようにしたものである。
なお、加工上困難が生じるが、平滑面４は形成しないものでも良いことはいうまでもない。
また、前記底板２に連続して両天井板７を形成するか、または前記底板２に連続して両側板６を折り曲げることができるように形成し、その先に連続して両天井板７を形成して折り曲げて突き合わせて係合できるように、両天井板７の一方の先端には組み立て用係合片９を、他方の天井板の略中央には組み立て用係合片９と係合する組み立て用係合切れ目８を設けてある。
なお、前記両側板６は、結果的に両天井板７で兼用するように、特に側板６を形成しないようにしたものである。
さらに、両天井板７の一方の天井板７の先端に設けた組み立て用係合片９の内側に形成した別の係止用の凸形状の切り込み部１７を設け、さらに両天井板７を組み合わせた際に、一方の天井板７に設けた２個の小型生物の入口１１と他方の天井板７に設けた一方の天井板７に設けた小型生物の入口１１と略重なる位置に大きさの大きい孔１９を設けてある。
この両天井板７を係合させることにより、ハウス状（略カマボコ状）本体Ａを形成する。尚、底板２から天井板７までの高さは、ヤモリが自由に移動できる程度の高さとする。この構成により、ハウス状本体Ａの両端に開放口１０が形成され、また両側板６を介してその先に連続した天井板７に切り込みを用いて立ち上げて形成したヤモリ（小型生物）入口１１を形成する。
両天井板７を係合するための係合切れ目８に係合片９を係合することで天井を形成しているが、係合が簡単にできるようにしてあるため、実際樹木に取り付けた際、強風が発生すると、簡単に係合が解除してしまい、用をなさなくなる。これを解決するために、再に、ワンタッチで係止できたり、ワンタッチで解放できる両天井板７の一方に係止用の凸形状の切り込み部１７と、他方の天井板７に、前記係止用の凸形状の切り込み部１７と同一、または同等の挿入できるような形状の切り込み部１８を一ヶ所以上設けたものである。
その具体例は、両天井板７を略カマボコ状になるように折り曲げた際、天井板７の一方の係合切れ目８と他方の係止片９をお互いに一部重なり合うようにして天井を形成する。この時、両天井板７の一方の天井板７に設けた係止用の凸形状の切り込み部１７と、他方の天井板７に設けた同一、または同等の切り込み部１８とが重なり合う位置になるように形成してある。
この状態になっているので、両天井板７を組み合わせて天井形成がなされている時、一方の係止用の凸形状の切り込み部１７と他方の凸形状の切り込み部１８が重なっているので、この係止用の凸形状の切り込み部１７を押し下げることで、他方の凸形状の切り込み部１８の部分を押し下げ、凸形状の切り込み部１７が他方の天井板７の内側へ入り込み、ストッパーの機能を奏するようになっている。
また、解放するには、前記小型生物入口１１から、前記大きな孔１９を通して指を押し込み、係止用の凸形状の切り込み部１７と、凸形状の切り込み部１８を外側に切り起こすようにして、係止を解除するものである。
このような組み合わせによって、係止用の凸形状の切り込み部１７のちょっとの押し下げ力をかけることで凸形状の切り込み部１８を通過できるものである。
なお、混獲しないようにヤモリ・毛虫のような垂直面を登る生物のみを捕獲し、それ以外の滑る面を登れないトカゲやカブトムシなどは捕獲しないようにしたい場合は、平滑面４を捕獲除外生物の大きさに合わせ、幅を変えることにより他生物の混獲を防ぐことができる。また、その小型生物捕獲器の設置場所の状態に合わせて選択することができる。
なお、粘着面には材料としては、ＰＥＴ（ポリエチレンテレフタレート）等の剥離機能を持ったシートが設けられていることはいうまでもない。
粘着シートを複数枚重ねて設けてあるので、最上部の粘着シートを剥がすことで、何度もヤモリを捕獲することができる。
また、底板内面３に設けた複数枚積層した粘着シート５は、樹木の幹や枝に略垂直、あるいは斜めに傾斜させて取り付け支持するので、その粘着シート５の自重で、徐々にずれ動いて、平滑面４を遮いでしまうのを防止するために、粘着シート５端部に係合して、ずれ動かないように切り欠き爪１４を形成して折り曲げ立ち上げて粘着シートを保持できるようにする。
【００１３】
また、底板２の内面３には、前後に平滑面４を形成することで、ヤモリは足に吸盤のような機能を持っているので、この平滑面４も平気で昇り降りができるが、足に吸盤のような機能を有していないトカゲや昆虫類等の小型生物は平滑面が存在していることで、この部分を昇り降りできないので、その先にある粘着面に到達することはなく捕獲もされない。
以上、図１、図２では、ヤモリ入口を４ヶ所設けた実施例を説明したが、２ヶ所等、小型生物が入れる大きさの入口であれば、何ヶ所でも良いことは言うまでもない。
【産業上の利用可能性】
【００１４】
前記実施例で示したヤモリだけでなく、ヤモリの習性と似た習性を持った害虫等の小型生物捕獲には同様に利用できる。
【符号の説明】
【００１５】
１・・・・シート
２・・・・底板
３・・・・内面      
４・・・・平滑面
５・・・・粘着シート  
６・・・・両側板
７・・・・天井板      
８・・・・係合切れ目
９・・・・係合片  
１０・・・・開放口
１１・・・・ヤモリ（小型生物）入口
１２・・・・折り曲げ線
１３・・・・切り込み線
１４・・・・切り欠き爪
１５・・・・捕獲器支持用孔
１６・・・・離型紙
１７・・・・係止用の凸形状の切り込み部
１８・・・・凸形状の切り込み部
１９・・・・大きい孔
２０・・・・覆いシート
Ａ・・・・ハウス状本体